(57)【要約】【課題】  サーバからの番組情報を受信する受信装置側の記憶容量が少なくても実現可能で使い勝手のよい番組情報提供システムを提供する。【解決手段】  番組情報提供システムは、使用者により所持され、その使用者の識別情報および特定の番組情報を探し出すためのキーワードが記憶された携帯電話機１０と、地域に分散して配置され、携帯電話機１０と通信可能な通信装置５０と、通信装置５０とインターネット網２を介して接続され、放送番組の放送チャンネル，放送開始時刻，放送終了時刻，放送内容等を表す番組情報が各放送番組毎に記憶された番組情報ＤＢ６８を有するサーバ６０とを備える。そして、携帯電話機１０は、識別情報及びキーワードを含んだ検索信号を通信装置５０へ送信し、サーバ６０は、通信装置５０を介して検索信号を受信すると、その検索信号のキーワードに関連する放送番組の番組情報を携帯電話機１０へ送信する。【選択図】  図１
2007201714.tif 000002
【特許請求の範囲】
【請求項１】
放送局から配信される放送番組の放送チャンネル，放送開始時刻，放送終了時刻，放送内容を表す番組情報が、各放送番組毎に記録された番組情報記憶手段を有するサーバと、
地域に分散して配置されると共に、ネットワークを介して前記サーバに接続された端末装置と、
使用者により所持され、その使用者の識別情報、及び、特定の番組情報を探し出すためのキーワードが記憶された個人情報記憶手段を有し、外部からの指令に従い、前記個人情報記憶手段に記憶された識別情報及びキーワードを含んだ検索信号を前記端末装置へ送信する携帯機と、
を備えた番組情報提供システムであって、
前記端末装置は、
前記携帯機から送信された前記検索信号を受信する検索信号受信手段と、
該検索信号受信手段により前記検索信号が受信されると、その検索信号を前記ネットワークを介して前記サーバへ送信する端末側通信手段と、を備え、
前記サーバは、
前記端末側通信手段から送信された検索信号を、前記ネットワークを介して受信するサーバ側通信手段と、
該サーバ側通信手段により前記検索信号が受信されると、前記番組情報記憶手段に記憶された複数の番組情報の中から、その検索信号に含まれたキーワードに関連する番組情報を探し出す検索手段と、
前記検索手段により前記キーワードに関連する番組情報が探し出されると、その番組情報を、前記検索信号に含まれた識別情報に基づき特定される送信先へ、前記ネットワークを介して送信する番組情報送信手段と、
を備えたことを特徴とする番組情報提供システム。
【請求項２】
放送局から配信される放送番組の放送チャンネル，放送開始時刻，放送終了時刻，放送内容を表す番組情報が、各放送番組毎に記録された番組情報記憶手段を有するサーバと、
地域に分散して配置されると共に、ネットワークを介して前記サーバに接続された端末装置と、
を備えた番組情報提供装置であって、
前記端末装置は、
情報端末の使用者の識別情報、及び、特定の番組情報を探し出すためのキーワードが含まれた検索信号を、前記情報端末から受信する検索信号受信手段と、
該検索信号受信手段により前記検索信号が受信されると、その検索信号を前記ネットワークを介して前記サーバへ送信する端末側通信手段と、を備え、
前記サーバは、
前記端末側通信手段から送信された検索信号を、前記ネットワークを介して受信するサーバ側通信手段と、
該サーバ側通信手段により前記検索信号が受信されると、前記番組情報記憶手段に記憶された複数の番組情報の中から、その検索信号に含まれたキーワードに関連する番組情報を探し出す検索手段と、
前記検索手段により前記キーワードに関連する番組情報が探し出されると、その番組情報を、前記検索信号に含まれた識別情報に基づき特定される送信先へ、前記ネットワークを介して送信する番組情報送信手段と、
を備えたことを特徴とする番組情報提供装置。
【請求項３】
請求項２に記載の番組情報提供装置の情報端末として用いられる携帯機であって、
当該携帯機の使用者の識別情報、及び、特定の番組情報を探し出すためのキーワードが記憶された個人情報記憶手段を備え、
外部からの指令に従い、前記個人情報記憶手段に記憶された識別情報及びキーワードを含んだ検索信号を、前記番組情報提供装置の検索信号受信手段へ送信することを特徴とする携帯機。
【請求項４】
放送局から送信される放送信号を受信し、その受信信号に基づき放送番組を取得する放送番組取得手段と、
前記番組情報提供装置の番組情報送信手段から送信された番組情報を、前記ネットワークを介して受信する番組情報受信手段と、
該番組情報受信手段により前記番組情報が受信された後、現在時刻が、該番組情報により表される放送開始時刻になったか否かを判定する開始時刻判定手段と、
該開始時刻判定手段により、現在時刻が前記番組情報により表される放送開始時刻になったと判定されると、前記番組情報に対応する放送番組を、前記放送番組取得手段を介して取得して記録媒体に記録する記録手段と、
を備えたことを特徴とする請求項３に記載の携帯機。
【請求項５】
前記番組情報受信手段により前記番組情報が受信されると、その番組情報を表示手段に表示する表示制御手段と、
前記表示手段が表示した番組情報に対応する放送番組を前記記録手段に記録させるか否かを、前記使用者が指定するための記録予約入力手段と、を備え、
前記開始時刻判定手段は、
前記使用者により前記記録予約入力手段を介して放送番組の記録が許可された場合に、現在時刻が前記番組情報により表される放送開始時刻になったか否かを判定することを特徴とする請求項４に記載の携帯機。
【請求項６】
前記携帯機は、外部からの再生指令に従い、前記記録媒体に記録された放送番組を再生する再生手段を備えたことを特徴とする請求項４または請求項５に記載の携帯機。
【請求項７】
前記再生手段により前記放送番組が再生されると、その放送番組に、該放送番組を視聴した人に特典を与えるための特典情報が含まれているか否かを判定する特典情報判定手段と、
該特典情報判定手段により前記放送番組に前記特典情報が含まれていると判定されると、前記再生手段によりその放送番組が最初から最後まで再生されたか否かを判定する再生判定手段と、
該再生判定手段により前記放送番組が最初から最後まで再生されたと判定されると、その放送番組に含まれた特典情報を、当該携帯機の使用者に通知する通知手段と、
を備えたことを特徴とする請求項６に記載の携帯機。
【請求項８】
外部操作に従い前記個人情報記憶手段に記憶されたキーワードを変更する変更手段を備えたことを特徴とする請求項３ないし請求項７の何れか１項に記載の携帯機。
【発明の詳細な説明】
【技術分野】
【０００１】
本発明は、放送番組の放送チャンネル，放送開始時刻，放送終了時刻，放送内容等を表す番組情報を提供する番組情報提供システム、番組情報提供装置、及び、その装置と通信可能な携帯機に関する。
【背景技術】
【０００２】
従来より、放送番組の放送チャンネル，放送開始時刻，放送終了時刻，放送内容等を表す番組情報を提供する番組情報提供システムとしては、番組情報が各放送番組毎に記憶された番組情報データベース（ＤＢ）を有するサーバが、使用者により所持される携帯機から番組情報の要求指令を受信すると、その要求指令を送信した携帯機に対して、複数日分（例えば一ヶ月分）の番組情報を送信し、携帯機が、その受信した番組情報を記憶媒体に記憶するようにされたものが知られている（例えば、特許文献１参照）。
【０００３】
このような番組情報提供システムによれば、携帯機の使用者は、例えば放送番組の予約録画／録音をする際に、記憶媒体に記憶された複数日分の番組情報を参照することで、所望の放送番組を検索することができる。
【特許文献１】特開２００５−３３３４０４号公報
【発明の開示】
【発明が解決しようとする課題】
【０００４】
しかしながら、従来の番組情報提供システムにおいては、携帯機が複数日分の番組情報を記憶媒体に記憶する必要があるので、その記憶媒体の記憶容量が不足してしまうことがある。
【０００５】
また、携帯機の使用者は、記憶媒体に記憶された番組情報を参照することで所望の放送番組を検索することができるが、この場合、複数日分の番組情報の中から所望の放送番組を検索しなければならない。このため、使用者にとってはこの検索作業が面倒であり、当該システムの使い勝手が悪いといった問題があった。
【０００６】
本発明は、こうした問題を解決するためになされたものであり、サーバからの番組情報を受信する受信装置側の記憶容量が少なくても実現可能で使い勝手のよい番組情報提供システム、番組情報提供装置、及び、その装置と通信可能な携帯機を提供することを目的としている。
【課題を解決するための手段】
【０００７】
上記目的を達成するためになされた請求項１に記載の発明は、放送局から配信される放送番組の放送チャンネル，放送開始時刻，放送終了時刻，放送内容を表す番組情報が、各放送番組毎に記録された番組情報記憶手段を有するサーバと、地域に分散して配置されると共に、ネットワークを介して前記サーバに接続された端末装置と、使用者により所持され、その使用者の識別情報、及び、特定の番組情報を探し出すためのキーワードが記憶された個人情報記憶手段を有し、外部からの指令に従い、個人情報記憶手段に記憶された識別情報及びキーワードを含んだ検索信号を端末装置へ送信する携帯機と、を備えた番組情報提供システムであって、端末装置は、携帯機から送信された検索信号を受信する検索信号受信手段と、検索信号受信手段により検索信号が受信されると、その検索信号をネットワークを介してサーバへ送信する端末側通信手段と、を備え、サーバは、端末側通信手段から送信された検索信号を、ネットワークを介して受信するサーバ側通信手段と、サーバ側通信手段により検索信号が受信されると、番組情報記憶手段に記憶された複数の番組情報の中から、その検索信号に含まれたキーワードに関連する番組情報を探し出す検索手段と、検索手段によりキーワードに関連する番組情報が探し出されると、その番組情報を、検索信号に含まれた識別情報に基づき特定される送信先へ、ネットワークを介して送信する番組情報送信手段と、を備えたことを特徴としている。
【０００８】
このような請求項１に記載の番組情報提供システムによれば、サーバは、複数日分の番組情報ではなく、キーワードに関連する番組情報だけを送信するため、その番組情報を受信する受信装置（例えば、自宅に設置されたパソコンや携帯機）が番組情報を記憶するのに必要な記憶容量を少なくすることができる。
【０００９】
また、個人情報記憶手段に記憶されるキーワードを、使用者が所望する放送番組に関連した語句に設定しておけば、使用者は、所望の放送番組に対応する番組情報を取得することが可能となる。
【００１０】
よって、請求項１に記載の番組情報提供システムによれば、サーバからの番組情報を受信する受信装置側の記憶容量が少なくても本発明を実現することができ、当該システムの使い勝手を向上させることができる。
【００１１】
また更に、請求項１に記載の番組情報提供システムによれば、サーバは、キーワードに関連する番組情報だけを送信するため、その番組情報を送信する際に要する受信装置との通信時間を短くすることができる。
【００１２】
次に、請求項２に記載の発明は、放送局から配信される放送番組の放送チャンネル，放送開始時刻，放送終了時刻，放送内容を表す番組情報が、各放送番組毎に記録された番組情報記憶手段を有するサーバと、地域に分散して配置されると共に、ネットワークを介して前記サーバに接続された端末装置と、を備えた番組情報提供装置であって、端末装置は、情報端末の使用者の識別情報、及び、特定の番組情報を探し出すためのキーワードが含まれた検索信号を、その情報端末から受信する検索信号受信手段と、検索信号受信手段により検索信号が受信されると、その検索信号をネットワークを介してサーバへ送信する端末側通信手段と、を備え、サーバは、端末側通信手段から送信された検索信号を、ネットワークを介して受信するサーバ側通信手段と、サーバ側通信手段により検索信号が受信されると、番組情報記憶手段に記憶された複数の番組情報の中から、その検索信号に含まれたキーワードに関連する番組情報を探し出す検索手段と、検索手段によりキーワードに関連する番組情報が探し出されると、その番組情報を、検索信号に含まれた識別情報に基づき特定される送信先へ、ネットワークを介して送信する番組情報送信手段と、を備えたことを特徴としている。
【００１３】
このような請求項２に記載の番組情報提供装置によれば、検索信号を送信する情報端末を用いることで請求項１に記載の番組情報提供システムを構築することができる。
このため、検索信号を送信する情報端末を用いれば、請求項１で述べた効果と同様の効果を得ることができる。
【００１４】
次に、請求項３に記載の発明は、請求項２に記載の番組情報提供装置の情報端末として用いられる携帯機であって、当該携帯機の使用者の識別情報、及び、特定の番組情報を探し出すためのキーワードが記憶された個人情報記憶手段を備え、外部からの指令に従い、個人情報記憶手段に記憶された識別情報及びキーワードを含んだ検索信号を、番組情報提供装置の検索信号受信手段へ送信することを特徴としている。
【００１５】
このような請求項３に記載の携帯機によれば、請求項２に記載の番組情報提供装置と組み合わせることで請求項１に記載の番組情報提供システムを構築することができる。
このため、請求項２に記載の番組情報提供装置と組み合わせれば、請求項１で述べた効果と同様の効果を得ることができる。
【００１６】
ところで、携帯機は、単に検索信号を送信する機能だけを備えているものであってもよいが、サーバから送信された番組情報を受信する機能を備えていてもよい。
そして、この場合、携帯機は、請求項４に記載のように構成するとよい。
【００１７】
即ち、請求項４に記載の発明は、請求項３に記載の携帯機において、放送局から送信される放送信号を受信し、その受信信号に基づき放送番組を取得する放送番組取得手段と、番組情報提供装置の番組情報送信手段から送信された番組情報を、ネットワークを介して受信する番組情報受信手段と、番組情報受信手段により番組情報が受信された後、現在時刻が、その番組情報により表される放送開始時刻になったか否かを判定する開始時刻判定手段と、開始時刻判定手段により、現在時刻が番組情報により表される放送開始時刻になったと判定されると、その番組情報に対応する放送番組を、放送番組取得手段を介して取得して記録媒体に記録する記録手段と、を備えている。
【００１８】
このような請求項４に記載の携帯機によれば、番組情報送信手段による番組情報の送信先を当該携帯機に設定することにより、番組情報受信手段にて番組情報を受信することができ、携帯機の使用者は、外出先でも放送番組を予約録画／録音することができる。
【００１９】
次に、請求項５に記載の発明は、請求項４に記載の携帯機において、番組情報受信手段により番組情報が受信されると、その番組情報を表示手段に表示する表示制御手段と、表示手段が表示した番組情報に対応する放送番組を記録手段に記録させるか否かを、使用者が指定するための記録予約入力手段と、を備え、開始時刻判定手段は、使用者により記録予約入力手段を介して放送番組の記録が許可された場合に、現在時刻が番組情報により表される放送開始時刻になったか否かを判定することを特徴としている。
【００２０】
このような請求項５に記載の携帯機によれば、使用者により記録予約入力手段を介して放送番組の記録が許可された場合に、放送番組を予約録画／録音するため、使用者は、所望の放送番組を選択して予約録画／録音することができる。
【００２１】
ところで、携帯機が放送番組を再生する機能を備えていない場合には、その再生機能を有する電子機器に携帯機を接続し、その電子機器側で、記録媒体に記録された放送番組を再生するとよいが、この場合、携帯機をいちいち電子機器に接続しなければならない。
【００２２】
そこで、携帯機には、請求項６に記載のように、外部からの再生指令に従い、記録媒体に記録された放送番組を再生する再生手段を設けるとよい。
このようにすれば、携帯機をいちいち電子機器に接続しなくても、記録媒体に記録された放送番組を再生することができる。
【００２３】
ところで、放送番組の中には、その番組の放送中に、視聴者に特典を与えるための特典情報（例えばプレゼントの応募方法）を放送するものもあり、視聴者は、その放送番組を視聴することにより特典情報を取得することができる。
【００２４】
一方、放送局側の人は、放送番組を最初から最後まで視聴した人に対して特典情報を与えたいのであるが、視聴者によっては、放送番組を最初から最後まで視聴せずに特典情報が放送される場面だけを視聴し、その特典情報を不正に取得してしまうという問題があった。
【００２５】
そこで、請求項６に記載の携帯機は、請求項７に記載のように構成するとよい。
即ち、請求項７に記載の発明は、請求項６に記載の携帯機において、再生手段により放送番組が再生されると、その放送番組に、特典情報が含まれているか否かを判定する特典情報判定手段と、特典情報判定手段により放送番組に特典情報が含まれていると判定されると、再生手段によりその放送番組が最初から最後まで再生されたか否かを判定する再生判定手段と、再生判定手段により放送番組が最初から最後まで再生されたと判定されると、その放送番組に含まれた特典情報を、当該携帯機の使用者に通知する通知手段と、を備えている。
【００２６】
このようにすれば、記録媒体に記録されている放送番組を最初から最後まで再生した場合に、通知手段が特典情報を使用者に通知するため、使用者が放送番組を最初から最後まで視聴せずに特典情報を取得してしまうのを防止することができる。
【００２７】
次に、請求項８に記載の発明は、請求項３〜７の何れかに記載の携帯機において、外部操作に従い個人情報記憶手段に記憶されたキーワードを変更する変更手段を備えたことを特徴としている。
【００２８】
このような請求項８に記載の携帯機によれば、個人情報記憶手段に記憶されたキーワードを変更することができるので、番組情報提供システムの使い勝手を向上させることができる。
【発明を実施するための最良の形態】
【００２９】
以下に、本発明が適用された実施形態の番組情報提供システムについて説明する。
まず、図１は本実施形態の番組情報提供システムの概要を示すブロック図である。
本実施形態の番組情報提供システムは、携帯電話機１０を所持する使用者に対して、放送番組の放送チャンネル，放送開始時刻，放送終了時刻，放送内容等を表す番組情報を提供するためのものであり、図１に示すように、使用者により所持される携帯電話機１０と、地域に分散して配置され、携帯電話機１０と無線通信可能な通信装置５０と、通信装置５０とインターネット網２を介して接続され、通信装置５０と通信した携帯電話機１０の使用者に対して番組情報を提供するサーバ６０と、備える。
【００３０】
なお、サーバ６０は、携帯電話機１０とインターネット網２を介して通信することで、携帯電話機１０の使用者に対して番組情報を提供するようにされており、サーバ６０と携帯電話機１０との間で行われる通信は、携帯電話機１０と無線通信を行う基地局４と、基地局４に対し電話回線網６を介してつながる移動電話交換局８とサーバ６０とを接続するインターネット網２と、を介して行われる。また、携帯電話機１０は、電話回線網６を介して通話も行うことができるように構成されている。
【００３１】
携帯電話機１０は、ＩＤタグ１２と、基地局４との間で無線通信を行う無線通信部１４と、複数のボタン（例えば、０〜９までのボタン、開始・終了ボタン、メニューボタン、決定ボタン、十字キー等）からなる操作部１６と、マイク１８と、スピーカ２０と、不揮発性のメモリ２２と、情報を表示するためのディスプレイ２４と、ラジオチューナ２６と、携帯電話機１０を構成する各部の制御を行う制御部２８と、を備えている。
【００３２】
ＩＤタグ１２は、携帯電話機１０を所持する使用者の個人情報や、番組情報を特定するためのキーワード等が記憶されたメモリ３０と、ＣＰＵ，ＲＯＭ，ＲＡＭ等からなるマイクロコンピュータを中心に構成された制御回路３２と、アンテナ３４からの受信信号を復調して制御回路３２に入力する受信回路３６と、制御回路３２からの送信データにより変調した送信信号をアンテナ３４から送信させる送信回路３８と、を備えている。
【００３３】
なお、本実施形態では、図２（ａ）に示すように、個人情報として、使用者の識別情報，名前，年齢，性別，趣味，当該携帯電話機１０のメールアドレスが、メモリ３０に記憶されている。
【００３４】
一方、キーワードは、例えば予め記憶された複数の語句の中から、使用者により選択可能とされており、選択されたキーワードが、送信用のキーワードとしてメモリ３０に記憶されている。
【００３５】
具体的に説明すると、使用者が選択するための選択用のキーワードは、サーバ６０がそのキーワードを用いて番組情報を検索することができるように、放送番組のジャンル（例えば、「スポーツ」、「音楽」、「ニュース」等）や、放送内容に関連した語句（例えば、「プレゼント」、「ポイント加算」等）が、メモリ３０に複数記憶されている。そして、使用者が選択用のキーワードの中から一つ以上のキーワードを選択することにより、送信用のキーワードがメモリ３０に記憶される。
【００３６】
制御回路３２は、制御部２８と通信可能に接続されており、制御部２８からの変更指令に従い、メモリ３０に記憶された各種情報を変更するようにされている。
制御回路３２は、受信回路３６を介して通信装置５０から送信されてくる要求信号を受信すると、メモリ３０から、識別情報、メールアドレス、及び、キーワード（即ち、送信用のキーワード）を読み出し、その読み出した各データを送信回路３８に出力する。
【００３７】
送信回路３８は、制御回路３２から、識別情報、メールアドレス、及び、キーワードが入力されると、それらデータにより変調した送信信号（以下、検索信号という）をアンテナ３４から送信させることにより、その検索信号を、要求信号を送信してきた通信装置５０へ送信する。
【００３８】
ディスプレイ２４は、例えばＬＣＤ（液晶カラーディスプレイ）にて構成されており、制御部２８からの指令を受けて情報を表示する。
ラジオチューナ２６は、デジタルラジオ用のチューナであり、デジタルラジオ用の放送番組を配信する放送局９から送信された放送信号を受信して、その放送信号を復調することにより放送番組を取得する。
【００３９】
制御部２８は、ＣＰＵ，ＲＯＭ，ＲＡＭを備えた周知のマイクロコンピュータにて構成されており、操作部１６が操作されることにより入力される指令や、予め内部に記憶されたプログラム、或いは、無線通信部１４から入力される信号等に基づいて、使用者が所望する放送番組を予約するための予約処理，放送番組を録音するための録音処理，放送番組を再生する再生処理等の各種処理を実行する。
【００４０】
また、制御部２８は、操作部１６から入力される指令に基づき、電話機として機能する通話処理を行うが、このことは周知であるため詳細な説明は省略する。
次に、通信装置５０の構成について説明する。
【００４１】
通信装置５０は、携帯電話機１０（詳しくはＩＤタグ１２）からの検索信号を受信するタグリーダ５２と、タグリーダ５２により受信された検索信号を、インターネット網２を介してサーバ６０へ送信する通信部５４と、を備えている。
【００４２】
タグリーダ５２は、携帯電話機１０から検索信号を送信させるための要求信号を、定期的に送信する。なお、本実施形態において、要求信号の送信エリアは、タグリーダ５２から例えば半径十数ｃｍ以内に存在する携帯電話機１０が要求信号を受信できる程度にされている。
【００４３】
次に、サーバ６０の構成について説明する。
サーバ６０は、ＣＰＵ，ＲＯＭ，ＲＡＭ等からなる制御部６２と、インターネット網２を介して通信先（本実施形態では、携帯電話機１０及び通信装置５０）と通信を行う通信部６４と、携帯電話機１０を所持する使用者の個人情報が登録された個人情報データベース（ＤＢ）６６と、番組情報が各放送番組毎に登録された番組情報ＤＢ６８とを備えている。
【００４４】
ここで、使用者の個人情報は、図２（ｂ）に示すように、使用者の識別情報（使用者が所持する携帯電話機１０内のＩＤタグ１２と同じもの），名前等から構成されており、登録番号順に、個人情報ＤＢ６６に登録されている。
【００４５】
また、図２（ｃ）に示すように、番組情報は、放送番組の番組名，ジャンル，放送チャンネル，放送開始時刻，放送終了時刻，放送内容等から構成されており、各放送局毎に、その放送局にて放送される各放送番組の放送時間に関連付けて、番組情報ＤＢ６８に登録されている。
【００４６】
サーバ６０の制御部６２は、通信装置５０から送信された検索信号を通信部６４が受信すると、番組情報ＤＢ６８に登録された番組情報の中から、その検索信号に含まれるキーワードに関連する番組情報を検索し、その検索結果を、今回検索信号を送信した携帯電話機１０に対し、通信部６４を介してメールにて送信する。
【００４７】
次に、サーバ６０の制御部６２で常時実行される番組情報提供処理について、図３を用いて説明する。なお、図３は、サーバ６０の制御部６２が実行する番組情報提供処理を表すフローチャートである。
【００４８】
サーバ６０の制御部６２が番組情報提供処理を開始すると、まずＳ１１０にて、通信装置５０から送信されてくる検索信号を通信部６４が受信するまで待つ。
そして、Ｓ１１０にて、通信装置５０から送信されてくる検索信号を通信部６４が受信したと判定すると、Ｓ１２０に移行する。
【００４９】
Ｓ１２０では、Ｓ１１０にて通信部６４が受信した検索信号に含まれるキーワードに関連する番組情報を、番組情報ＤＢ６８に登録された番組情報の中から探し出す。
なお、Ｓ１２０では、キーワードに関連する番組情報を探し出す際、例えば過去１日分の番組情報を検索対象としている。
【００５０】
次いで、Ｓ１３０では、キーワードに関連する番組情報を探し出すことができたか否かを判定する。
そして、Ｓ１３０にて、キーワードに関連する番組情報を探し出すことができたと判定した場合には、Ｓ１４０に移行し、逆に、キーワードに関連する番組情報を探し出すことができなかったと判定した場合には、Ｓ１５０に移行する。
【００５１】
Ｓ１４０では、Ｓ１３０にて探し出された番組情報を付与したメールを生成する。
具体的に説明すると、制御部６２が生成するメールは、図４に示すように、宛先の項目と、件名の項目と、本文等から構成される。
【００５２】
そして、宛先には、Ｓ１１０にて通信部６４が受信した検索信号に含まれるメールアドレスが書き込まれ、本文には、個人情報ＤＢ６６に登録された名前のうち、Ｓ１１０にて通信部６４が受信した検索信号の識別情報に対応する名前や、Ｓ１３０にて探し出された番組情報（放送番組の番組名，ジャンル，放送チャンネル，放送開始時刻，放送終了時刻，放送内容）が書き込まれる。
【００５３】
また更に、本文には、「この放送番組を録音する」というコメントが書き込まれており、そのコメントには、Ｓ１３０にて探し出された番組情報に対応する放送番組を予約録音するための予約指令が関連付けて（リンク先として）書き込まれる。
【００５４】
このため、受信側（即ち、携帯電話機１０側）では、使用者によりその受信メールが開かれてそのコメントが選択されると（詳しくは、使用者が、ディスプレイ２４に表示されたコメントにカーソルを合わせて、操作部１６の決定ボタンを押すと）、予約指令が携帯電話機１０の制御部２８に入力される。
【００５５】
次に、Ｓ１５０では、キーワードに関連する番組情報がなかったことを表すメールを生成する。
続いて、Ｓ１６０では、Ｓ１４０若しくはＳ１５０にて生成されたメールを通信部６４に出力する。
【００５６】
すると、通信部６４は、インターネット網２を介して、その送信先（今回検索信号を送信した携帯電話機１０）にメールを送信することとなる。
次に、携帯電話機１０の制御部２８が実行する各種処理について、図５〜図９のフローチャートを用いて説明する。
【００５７】
なお、図５は制御部２８が実行するメール受信処理を表すフローチャートであり、図６は制御部２８が実行する予約処理を表すフローチャートであり、図７は制御部２８が実行する録音処理を表すフローチャートであり、図８（ａ）は制御部２８が実行する再生処理を表すフローチャートであり、図８（ｂ）は制御部２８が実行する再生操作監視処理を表すフローチャートである。また、図９は、制御部２８が実行するキーワード変更処理を表すフローチャートである。
【００５８】
まず、図５のメール受信処理について説明する。
このメール受信処理は、当該携帯電話機１０宛の受信メールがメールサーバ（図示省略）に届いているか否かを検索するための検索指令が、制御部２８に入力されたときに実行される処理であり、この処理が開始されると、まずＳ２１０にて、メール監視処理を行う。
【００５９】
このメール監視処理では、インターネット網２を介してメールサーバ（図示省略）にアクセスして、この携帯電話機１０宛のメールがメールサーバに届いていれば、そのメールを受信するといった処理を行う。
【００６０】
続いて、Ｓ２２０では、メール監視処理（Ｓ２１０）にてメールを受信したか否かを判定する。
そして、Ｓ２２０にて、メールを受信していないと判定した場合には、当該メール受信処理を終了し、逆に、メールを受信したと判定した場合には、Ｓ２３０へ移行して、メールを受信したことを使用者に報知するための報知処理を行い、当該メール受信処理を終了する。
【００６１】
なお、報知処理では、スピーカ２０から発信音を出力させたり、図示しない発光部を発光させたりすることにより、使用者にメールを受信した旨を報知する。
次に、図６の予約処理について説明する。
【００６２】
この予約処理は、使用者が受信メールを読むための受信メール表示指令が操作部１６から入力されたときに実行される処理であり、この処理が開始されると、まずＳ３１０にて、受信メールをディスプレイ２４に表示させる。
【００６３】
次に、Ｓ３２０にて、予約指令が入力されたか否かを判定する。
そして、Ｓ３２０にて、予約指令が入力されていないと判定した場合には、当該予約処理を終了する。
【００６４】
一方、Ｓ３２０にて、予約指令が入力されたと判定すると（即ち、ディスプレイ２４に表示されている受信メールの本文に書き込まれた「この放送番組を録音する」が、使用者により選択されると）、続くＳ３３０にて図７の録音処理を開始し、当該予約処理を終了する。
【００６５】
次に、図７の録音処理について説明する。
この処理は、上記予約処理のＳ３２０にて、予約指令が入力されたと判定されたときに、予約指令と並行して実行される処理であり、この処理が開始されると、まずＳ４１０にて、予約指令に対応する放送番組の放送開始時刻，放送終了時刻，放送チャンネル等をメモリ２２に記憶する。
【００６６】
そして、Ｓ４２０では、現在時刻が、メモリ２２に記憶した放送開始時刻（即ち、予約指令に対応する放送番組の放送開始時刻）になったか否かを判定するまで待つ。
そして、Ｓ４２０にて現在時刻が放送開始時刻になったと判定すると、続くＳ４３０にて、予約指令に対応する放送番組の録音を開始し、その放送番組の放送終了時刻になると、録音を終了して当該録音処理を終了する。
【００６７】
具体的に説明すると、制御部２８は、Ｓ４３０にて、ラジオチューナ２６の受信チャンネルを、予約指令に対応する放送番組の放送チャンネルに切り換え、予約指令に対応する放送番組の放送終了時刻まで、ラジオチューナ２６を介して予約指令に対応する放送番組を取得する。
【００６８】
そして、制御部２８は、取得した放送番組を、所定の形式（例えばｍｐ３形式）の音声データに変換し、その放送番組のデータファイル（録音ファイル）を生成してメモリ２２に保存する。この際、録音ファイルのファイル名は、例えば、予約指令に対応した放送番組の番組名で作成される。
【００６９】
次に、図８（ａ）の再生処理について説明する。
この処理は、メモリ２２に記録された録音ファイルを使用者が聞くための再生指令が操作部１６から入力されたときに実行される処理であり、この処理が開始されると、まずＳ５１０にて、メモリ２２に記録された録音ファイルのリストをディスプレイ２４に表示させる。
【００７０】
そして、Ｓ５２０では、録音ファイルのリストの中から再生対象のファイルが選択されるまで待つ。
そして、Ｓ５２０にて、録音ファイルのリストの中から再生対象のファイルが選択されたと判定すると、続くＳ５３０にて、その選択された録音ファイルの再生を開始する。
【００７１】
続いて、Ｓ５４０では、使用者の操作により操作部１６からスキップ指令が入力されたか否かを判定する。
そして、Ｓ５４０にて、スキップ指令が入力されたと判定した場合には、Ｓ５５０に移行し、逆に、スキップ指令が入力されていないと判定した場合には、Ｓ５６０に移行する。
【００７２】
Ｓ５５０では、現在の再生位置からスキップ指令にて指定された位置まで再生位置を移動（スキップ）し、その後、Ｓ５６０に移行する。
Ｓ５６０では、使用者の操作により操作部１６から再生モード変更指令が入力されているか否か判定する。
【００７３】
なお、本実施形態において、制御部２８は、再生モードとして、通常の速度で再生する通常再生モードや、その通常再生モードの倍の速度で録画ファイルを再生する倍速再生モードや、通常再生モードより遅い速度で録音ファイルを再生するスロー再生モードなどを備え、その再生モードに応じた速度で録音ファイルを再生する構成にされており、これらの再生モードは、操作部１６から指定可能にされている。
【００７４】
そして、Ｓ５６０にて、再生モード変更指令が入力されていると判定した場合には、続くＳ５７０にて、再生モード変更指令にて指定された再生モードに変更して録音ファイルを再生し、Ｓ５８０に移行する。
【００７５】
一方、Ｓ５６０にて、再生モード変更指令が入力されていないと判定した場合には、Ｓ５８０に移行する。
Ｓ５８０では、使用者の操作により操作部１６から再生停止指令が入力されたか否かを判定する。
【００７６】
そして、Ｓ５８０にて、再生停止指令が入力されていないと判定した場合には、Ｓ５９０に移行し、逆に、再生停止指令が入力されたと判定した場合には、Ｓ６００に移行する。
【００７７】
Ｓ５９０では、録音ファイルの再生位置が録音終了位置まで移動したか否かを判定する。
そして、Ｓ５９０にて、録音ファイルの再生位置が録音終了位置まで移動していないと判定した場合には、Ｓ５４０へ戻り、逆に、録音ファイルの再生位置が録音終了位置まで移動したと判定した場合には、Ｓ６００に移行する。
【００７８】
Ｓ６００では、再生中の録音ファイルを停止し、当該再生処理を終了する。
次に、図８（ｂ）の再生操作監視処理について説明をする。
この処理は、再生処理が実行されると、それと並行して実行される処理であり、この処理が開始されると、まずＳ６１０にて、Ｓ５２０で選択された録音ファイルの中に、その録音ファイル（放送番組）を視聴した人に特典を与えるための特典情報（例えば、プレゼントの応募方法を使用者に教えるためのＵＲＬ）が含まれているか否かを判定する。
【００７９】
そして、Ｓ６１０にて、特典情報が含まれていないと判定した場合には、当該再生操作監視処理を終了し、逆に、特典情報が含まれていると判定した場合には、Ｓ６２０に移行する。
【００８０】
次いで、Ｓ６２０では、スキップ指令が入力されたか否かを判定する。
そして、Ｓ６２０にて、スキップ指令が入力されたと判定した場合には、当該再生操作監視処理を終了し、逆に、スキップ指令が入力されていないと判定した場合には、Ｓ６３０に移行する。
【００８１】
続いて、Ｓ６４０では、再生停止指令が入力されたか否かを判定する。
そして、Ｓ６４０にて、再生停止指令が入力されたと判定した場合には、当該再生操作監視処理を終了し、逆に、再生停止指令が入力されていないと判定した場合には、Ｓ６５０に移行する。
【００８２】
次に、Ｓ６５０では、録音ファイルの再生位置が録音終了位置まで移動したか否かを判定する。
そして、Ｓ６５０にて、録音ファイルの再生位置が録音終了位置まで移動していないと判定した場合には、Ｓ６２０に戻り、逆に、録音ファイルの再生位置が録音終了位置まで移動したと判定した場合には、Ｓ６６０に移行する。
【００８３】
そして、Ｓ６６０では、Ｓ６００にて再生中の録音ファイルが停止されるまで待ち、再生中の録音ファイルが停止されると、Ｓ６７０に移行する。
Ｓ６７０では、今回再生処理にて再生された録音ファイルに含まれている特典情報（ＵＲＬ）を、ディスプレイ２４に表示させ、当該再生操作監視処理を終了する。
【００８４】
これにより、携帯電話機１０の使用者は、ディスプレイ２４に表示されたＵＲＬにアクセスすることで、今回再生した録音ファイル（放送番組）の特典（例えば、プレゼントの応募方法）を取得することができる。
【００８５】
次に、図９のキーワード変更処理について説明する。
この処理は、キーワードを変更するためのキーワード変更指令が操作部１６から入力されたときに実行される処理であり、この処理が開始されると、まずＳ７１０にて、キーワードの選択画面をディスプレイ２４に表示させ、その後、使用者により操作部１６からキーワードが入力されるまで待つ。
【００８６】
そして、Ｓ７１０にて、キーワードが入力されたと判定すると、続くＳ７２０にて、ＩＤタグ１２（制御回路３２）にキーワードの変更指令を出力することにより、メモリ３０に記憶されている送信用のキーワードを、Ｓ７１０で入力されたキーワードに変更させて、当該キーワード変更処理を終了する。
【００８７】
以上説明したように、本実施形態の番組情報提供システムによれば、サーバ６０は、複数日分の番組情報ではなく、キーワードに関連する番組情報だけを送信するため、携帯電話機１０が番組情報を記憶するのに必要な記憶容量を少なくすることができる。
【００８８】
また、メモリ３０に記憶される送信用のキーワードを、使用者が所望する放送番組に関連した語句に設定しておけば、使用者は、所望の放送番組に対応する番組情報を取得することが可能となる。
【００８９】
よって、サーバ６０からの番組情報を受信する携帯電話機１０側の記憶容量が少なくても、本発明を実現することができ、当該システムの使い勝手を向上させることができる。
また更に、本実施形態によれば、サーバ６０は、キーワードに関連する番組情報だけを送信するため、その番組情報を送信する際に要する携帯電話機１０との通信時間を短くすることができる。
【００９０】
また、本実施形態の携帯電話機１０によれば、使用者は、外出先でも放送番組を予約録画／録音することができる。
また、本実施形態の携帯電話機１０によれば、使用者の操作により操作部１６から予約指令が入力された場合に、放送番組を予約録音が行われるようにされているため、使用者は、所望の放送番組を選択して予約録音することができる。
【００９１】
また更に、本実施形態の携帯電話機１０によれば、メモリ２２に記録されている録音ファイル（放送番組）を最初から最後まで再生した場合に、特典情報をディスプレイ２４に表示するようにされているため、使用者が放送番組を最初から最後まで聞かずに特典情報を取得してしまうのを防止することができる。
【００９２】
また、本実施形態の携帯電話機１０によれば、メモリ３０に記憶されたキーワードを変更することができるので、当該システムの使い勝手を更に向上させることができる。
なお、本実施形態では、携帯電話機１０が携帯機に相当し、通信装置５０が端末装置に相当している。また、番組情報ＤＢ６８が番組情報記憶手段に相当し、メモリ３０が個人情報記憶手段に相当している。また、タグリーダ５２が検索信号送信手段に相当し、通信部５４が端末側通信手段に相当している。また、通信部６４がサーバ側通信手段に相当し、Ｓ１２０の処理が検索手段に相当し、Ｓ１６０の処理が番組情報送信手段に相当している。また、ラジオチューナ２６が放送番組取得手段に相当し、無線通信部１４が番組情報受信手段に相当し、Ｓ４１０の処理が開始時刻判定手段に相当している。また、メモリ２２が記録媒体に相当し、Ｓ４２０の処理が記録手段に相当している。また、ディスプレイ２４が表示手段に相当し、Ｓ３１０の処理が表示制御手段に相当し、操作部１６が記録予約入力手段に相当し、図８（ａ）の再生処理が再生手段に相当している。また、Ｓ６１０の処理が特典情報判定手段に相当し、Ｓ６２０〜Ｓ６６０の処理が再生判定手段に相当し、Ｓ６７０の処理が通知手段に相当し、図９の変更処理が変更手段に相当している。
【００９３】
以上、本発明の実施形態について説明したが、本発明は、種々の形態を採り得ることは言うまでもない。
上記実施形態において、ＩＤタグ１２は、要求信号を受信したときに検索信号を送信するものとして説明したが、これに限らず、携帯電話機１０の操作部１６が操作されたときに応じて検索信号を送信するようにされていてもよい。
【００９４】
また、本実施形態では、ＩＤタグ１２とタグリーダ５２との通信により、検索信号が通信装置５０にて取得されていたが、ＩＤタグ１２とタグリーダ５２とを設けずに、携帯電話機１０と通信装置５０との通信を、赤外線により行うようにされていてもよい。
【００９５】
また、本実施形態では、予約指令が携帯電話機１０の制御部２８に入力されたときに、図７の録音処理を開始するようにされていたが、これに限らず、この録音処理は、携帯電話機１０がサーバ６０から番組情報を受信したときにするようにされていてもよい。
【００９６】
このとき、上記実施形態と同様、サーバ６０は、キーワードに関連する放送番組の番組情報をメールにて送信するようにされていてもよいが、メールではなく、キーワードに関連する放送番組の番組情報の放送開始時刻，放送終了時刻，放送チャンネルを含んだデータを携帯電話機１０に送信するようにされていてもよい。
【００９７】
また、本実施形態では、携帯電話機１０にラジオチューナ２６が搭載されているものを挙げて説明したが、携帯電話機１０には、テレビチューナが搭載されていてもよい。
このようにすれば、テレビの放送番組を予約録画することができる。
【００９８】
また、ラジオチューナ２６やテレビチューナは携帯電話機１０に搭載されていなくてもよく、例えば、使用者の自宅に設置されていてもよい。
この場合、使用者の自宅に放送番組を録音可能な録音装置を設け、自宅に予約指令が携帯電話機１０の制御部２８に入力されたときに、携帯電話機１０が、その予約指令に対応する放送番組の番組情報（放送開始時刻，放送終了時刻，放送チャンネル等）を、自宅に設置された録音装置に送信するようにし、その録音装置が、予約指令に対応する放送番組を録音するようにすればよい。
【００９９】
また、本実施形態において、検索信号には、識別情報、メールアドレス、及び、キーワードが含まれているものとして説明したが、個人情報ＤＢ６６にメールアドレスを登録しておけば、メールアドレスが含まれていなくてもよい。
【０１００】
また、検索信号には、年齢，性別，趣味等が含まれていてもよい。この場合、サーバ６０にてそれら各情報を管理するようにすれば、サーバ６０側の人は、どのような年齢層の人達がどのような趣味を持っているのかということを知ることができる。
【図面の簡単な説明】
【０１０１】
【図１】本実施形態の番組情報提供システム全体の構成を表すブロック図である。
【図２】ＩＤタグのメモリに記憶された個人情報及びキーワードと、データベースに登録された個人情報及び番組情報とを説明する説明図である。
【図３】サーバの制御部が実行する番組情報提供処理を表すフローチャートである。
【図４】サーバにて生成されるメールを説明する説明図である。
【図５】携帯電話機の制御部が実行するメール受信処理を表すフローチャートである。
【図６】携帯電話機の制御部が実行する予約処理を表すフローチャートである。
【図７】携帯電話機の制御部が実行する録音処理を表すフローチャートである。
【図８】携帯電話機の制御部にて、再生指令が入力されたときに実行される処理を表すフローチャートである。
【図９】携帯電話機の制御部が実行するキーワード変更処理を表すフローチャートである。
【符号の説明】
【０１０２】
２…インターネット網、４…基地局、６…電話回線網、８…移動電話交換局、９…放送局、１０…携帯電話機、１２…ＩＤタグ、１４…無線通信部、１６…操作部、１８…マイク、２０…スピーカ、２２…メモリ、２４…ディスプレイ、２６…ラジオチューナ、２８…制御部、３０…メモリ、３２…制御回路、３４…アンテナ、３６…受信回路、３８…送信回路、５０…通信装置、５２…タグリーダ、５４…通信部、６０…サーバ、６２…制御部、６４…通信部、６６…個人情報ＤＢ、６８…番組情報ＤＢ。
【図１】
2007201714.tif 000003
【図２】
2007201714.tif 000004
【図３】
2007201714.tif 000005
【図４】
2007201714.tif 000006
【図５】
2007201714.tif 000007
【図６】
2007201714.tif 000008
【図７】
2007201714.tif 000009
【図８】
2007201714.tif 000010
【図９】
2007201714.tif 000011